(57)【要約】【課題】案内部からの引き出し線の脱落を抑制できる電機子を提供する。【解決手段】インシュレータ２２には、コイル２３におけるティース被覆部３２と接触する巻き始めの引き出し線２３ｓを該コイル２３の第１層目（第１層コイル線４１）よりも上層側に案内する案内部３５が設けられる。案内部３５は、ベース被覆部３１から径方向内側（ティース部２０ａ側）に突出する突出部３６と、該突出部３６から周方向に延びてベース被覆部３１と径方向に対向し該ベース被覆部３１とで引き出し線を保持する保持部３７とを有する。そして、突出部３６から延びる保持部３７の根元部から先端部までの周方向長さＬは、コイル２３の線径Ｄよりも長く設定されている。【選択図】図３
2018191469.tif 000002
【特許請求の範囲】
【請求項１】
円筒状のベース部、及び前記ベース部の周面から径方向に延びるティース部を有する電機子コアと、
前記ベース部の前記周面を被覆するベース被覆部、及び前記ティース部の軸方向両端面及び周方向両端面を被覆するティース被覆部を有するインシュレータと、
前記インシュレータのティース被覆部に巻回された複数層からなるコイルと
を備え、
前記インシュレータには、前記コイルにおける前記ティース被覆部と接触する巻き始めの引き出し線を該コイルの第１層目よりも上層側に案内する案内部が設けられた電機子であって、
前記案内部は、前記ベース被覆部から径方向の前記ティース部側に突出する突出部と、該突出部から周方向に延びて前記ベース被覆部と径方向に対向し該ベース被覆部とで前記引き出し線を保持する保持部とを有し、
前記突出部から延びる前記保持部の根元部から先端部までの周方向長さは、前記コイルの線径よりも長く設定されていることを特徴とする電機子。
【請求項２】
請求項１に記載の電機子において、
前記保持部の先端部における前記ベース被覆部と径方向に対向する側面には、前記保持部の先端側にかけて前記ベース被覆部から離間するように傾斜するテーパ面が設けられていることを特徴とする電機子。
【請求項３】
請求項１又は２に記載の電機子において、
前記インシュレータは、前記ベース被覆部から径方向に突出して前記コイルの第１層目よりも上層のコイル線の径方向への移動を規制する規制部を備えていることを特徴とする電機子。
【請求項４】
請求項３に記載の電機子において、
前記案内部は、前記規制部としての役割を兼ねていることを特徴とする電機子。
【請求項５】
請求項４に記載の電機子において、
前記案内部は、前記ティース被覆部の周方向一方側のみに設けられ、
前記インシュレータは、前記ティース被覆部の周方向他方側において、前記規制部としての他方側規制部を前記案内部とは別に備えていることを特徴とする電機子。
【請求項６】
請求項１〜５のいずれか１項に記載の電機子を備えたことを特徴とするブラシレスモータ。
【発明の詳細な説明】
【技術分野】
【０００１】
本発明は、電機子及びブラシレスモータに関するものである。
【背景技術】
【０００２】
従来、例えば特許文献１に示されるように、ブラシレスモータの電機子としてのステータは、径方向に延びるティース部と、ティース部の軸方向両端面及び周方向両端面を被覆するティース被覆部を有するインシュレータと、インシュレータのティース被覆部に巻回された複数層からなるコイルとを備えている。また、コイルにおけるティース被覆部と接触する巻き始めの引き出し線（コイルの第１層目から引き出される引き出し線）は、電源供給用の電源側端子に接続されるようになっている。上記のようなステータでは、巻き始めの引き出し線はコイルの第１層目から引き出されているため、引き出し線の根本部分は第１層目及び第２層目のコイル線と接触する。このため、コイル側の振動によって、引き出し線には、第１層目及び第２層目のコイル線からの引張、圧縮、曲げ等の大きな力が掛かり、引き出し線が損傷してしまう虞があった。
【０００３】
そこで、上記特許文献１のステータでは、インシュレータのティース被覆部の周方向一側面から周方向に突出する案内部を形成し、該案内部によって、引き出し線の根本部分をコイルの第１層目よりも上層側に案内している。これにより、コイル側の振動時に引き出し線がコイルから受ける力を抑制でき、その結果、引き出し線の損傷が抑制されるようになっている。
【先行技術文献】
【特許文献】
【０００４】
【特許文献１】特開２０１１−１４２７７０号公報
【発明の概要】
【発明が解決しようとする課題】
【０００５】
しかしながら、上記特許文献１のステータでは、案内部において引き出し線を保持する部位を、単に円弧状の凹部（特許文献１中、保持凹部）としただけであり、該保持凹部から引き出し線が脱落する虞があった。また、引き出し線の径（コイルの線径）が細く設定された場合には、その線径に合わせて案内部の保持凹部の寸法も小さく設定されるが、保持凹部の寸法が小さくなると、保持凹部の形状を精度良く成形することが難しくなり、引き出し線の脱落の問題が特に顕著となる。
【０００６】
本発明は、上記課題を解決するためになされたものであって、その目的は、案内部からの引き出し線の脱落を抑制できる電機子及びブラシレスモータを提供することにある。
【課題を解決するための手段】
【０００７】
上記課題を解決する電機子は、円筒状のベース部、及び前記ベース部の周面から径方向に延びるティース部を有する電機子コアと、前記ベース部の前記周面を被覆するベース被覆部、及び前記ティース部の軸方向両端面及び周方向両端面を被覆するティース被覆部を有するインシュレータと、前記インシュレータのティース被覆部に巻回された複数層からなるコイルとを備え、前記インシュレータには、前記コイルにおける前記ティース被覆部と接触する巻き始めの引き出し線を該コイルの第１層目よりも上層側に案内する案内部が設けられた電機子であって、前記案内部は、前記ベース被覆部から径方向の前記ティース部側に突出する突出部と、該突出部から周方向に延びて前記ベース被覆部と径方向に対向し該ベース被覆部とで前記引き出し線を保持する保持部とを有し、前記突出部から延びる前記保持部の根元部から先端部までの周方向長さは、前記コイルの線径よりも長く設定されている。
【０００８】
この構成によれば、ベース被覆部とで引き出し線を保持する保持部の周方向長さがコイルの線径（引き出し線の径）よりも長く設定されるため、引き出し線を安定して保持でき、案内部からの引き出し線の脱落を抑制できる。
【０００９】
上記電機子において、前記保持部の先端部における前記ベース被覆部と径方向に対向する側面には、前記保持部の先端側にかけて前記ベース被覆部から離間するように傾斜するテーパ面が設けられている。
【００１０】
この構成によれば、保持部の先端部に設けられたテーパ面によって、保持部とベース被覆部との間の入口が拡がる形状をなすため、保持部とベース被覆部との間に引き出し線を配置しやすい。
【００１１】
上記電機子において、前記インシュレータは、前記ベース被覆部から径方向に突出して前記コイルの第１層目よりも上層のコイル線の径方向への移動を規制する規制部を備えている。
【００１２】
この構成によれば、インシュレータの規制部によって、コイルの第１層目よりも上層のコイル線の径方向への移動が規制される。これにより、コイルの第１層目よりも上層のコイル線が径方向に移動して下層側に落ち込んで、コイルの整列状態が乱れることを抑制できる。
【００１３】
上記電機子において、前記案内部は、前記規制部としての役割を兼ねている。
この構成によれば、規制部としての役割を兼ねた案内部によって、コイルの第１層目よりも上層のコイル線の径方向への移動を規制できる。
【００１４】
上記電機子において、前記案内部は、前記ティース被覆部の周方向一方側のみに設けられ、前記インシュレータは、前記ティース被覆部の周方向他方側において、前記規制部としての他方側規制部を前記案内部とは別に備えている。
【００１５】
この構成によれば、コイルの第１層目よりも上層のコイル線の径方向への移動が、ティース被覆部の周方向一方側では規制部としての案内部によって規制され、ティース被覆部の周方向他方側では他方側規制部によって規制される。このため、コイルの第１層目よりも上層のコイル線の径方向への移動をより確実に規制できる。
【００１６】
上記課題を解決するブラシレスモータは、上記の電機子を備えている。
この構成によれば、電機子において案内部からの引き出し線の脱落が抑制され、その結果、モータの信頼性の向上に寄与できる。
【発明の効果】
【００１７】
本発明の電機子及びブラシレスモータによれば、案内部からの引き出し線の脱落を抑制できる。
【図面の簡単な説明】
【００１８】
【図１】実施形態のブラシレスモータの断面図である。
【図２】同形態のステータを示す平面図である。
【図３】同形態のステータを部分的に拡大して示す平面図。
【発明を実施するための形態】
【００１９】
以下、電機子及びブラシレスモータの一実施形態について説明する。
図１に示す本実施形態のブラシレスモータ１は、例えば車両用エンジンのバルブタイミング可変装置に用いられるものである。ブラシレスモータ１のハウジング２は略有底円筒状に形成され、そのハウジング２内には、円環状のステータ３（電機子）と、該ステータ３の内側に配置されたロータ４とが設けられている。そして、そのハウジング２の開口部を塞ぐようにエンドフレーム５が設けられている。
【００２０】
ステータ３は、ハウジング２の内周面に圧入等により固定されている。ステータ３の内側において回転可能に支持されたロータ４は、円板状のコアシートを複数枚積層してなるロータコア１０を備え、そのロータコア１０の外周面にはマグネット１１が固定されている。ロータコア１０の中央部には、貫通孔１０ａが設けられ、その貫通孔１０ａに回転軸１２が嵌入されている。これにより、ロータコア１０と回転軸１２とは、一体回転可能に固定されるようになっている。なお、ロータコア１０は、回転軸１２に直接固定されているが、ロータコア１０と回転軸１２との間に係合部材を介在させて固定してもよい。
【００２１】
回転軸１２は、ハウジング２及びエンドフレーム５にそれぞれ設けられた軸受１３，１４によって回転可能に支持されている。詳しくは、エンドフレーム５の中央部分には軸受収容部５ａが設けられており、その軸受収容部５ａの内周面に弾性部材（図示略）を介して軸受１４の外輪が固定され、軸受１４の内輪は回転軸１２に固定されている。なお、回転軸１２の基端部は、エンドフレーム５と直接当接しないように構成されている。また、軸受１４の外輪とエンドフレーム５の軸受収容部５ａとの間に弾性部材を介在させることにより、ロータ４からエンドフレーム５への振動の伝達が抑制されるようになっている。
【００２２】
また、ハウジング２の底部２ａの中央部分にも軸受収容部２ｂが設けられており、その軸受収容部２ｂの内周面に軸受１３の外輪が固定され、軸受１３の内輪は回転軸１２に固定されている。この軸受１３によって回転軸１２の軸方向中間部が回転可能に支持されている。なお、軸受収容部２ｂにおいて軸受１３の外部側には、その軸受収容部２ｂと回転軸１２との隙間をシールするオイルシール１６が設けられている。
【００２３】
ロータ４におけるロータコア１０よりもエンドフレーム５側には、リング状のセンサマグネット１７が該ロータ４と一体回転可能に設けられている。センサマグネット１７は、ロータ４の回転位置を検出するために設けられるものであり、該センサマグネット１７にはＮ極とＳ極が所定角度毎に交互に設けられている。
【００２４】
図２及び図３に示すように、ステータ３は、複数（本実施形態では１２個）のティース部２０を有するステータコア２１と、ステータコア２１に装着されたインシュレータ２２と、各ティース部２０にインシュレータ２２を介して巻回されたコイル２３とを備えている。なお、インシュレータ２２は、合成樹脂材から射出成形等によって成形されるものである。
【００２５】
ステータコア２１は、ステータ３の外周枠を構成する円筒状のベース部２４（図３参照）を有している。各ティース部２０は、ベース部２４の内周面から径方向内側に延出されている。また、各ティース部２０は、周方向において等間隔に設けられている。各ティース部２０の先端部（内周側端部）は、その周方向幅が拡がる形状をなしている。なお、ステータコア２１は、板状のコアシートが軸方向に複数枚積層されて構成されている。また、ティース部２０は、径方向と直交する断面形状が矩形状をなしている。
【００２６】
図３に示すように、インシュレータ２２は、ベース部２４の内周面を被覆するベース被覆部３１と、各ティース部２０をそれぞれ被覆する複数のティース被覆部３２とを有している。また、インシュレータ２２は、ベース部２４の軸方向端面を被覆する軸方向被覆部２２ａを有している。
【００２７】
各ティース被覆部３２は、各ティース部２０の軸方向両端面及び周方向両端面を被覆している。また、各ティース被覆部３２は、ベース被覆部３１から径方向内側に延出されている。なお、ティース部２０の先端面（径方向内側端面）は、ティース被覆部３２から露出されてロータ４と径方向に対向するようになっている（図１も参照）。また、インシュレータ２２は、ステータコア２１の軸方向中央部に対応する部分で軸方向に分割された構成を有している。
【００２８】
各ティース部２０には、ティース被覆部３２の上からコイル２３が巻回されている。コイル２３は、そのコイル軸がステータコア２１の径方向を向くように巻回されるとともに、複数層（本実施形態では２層）で構成されている。
【００２９】
ティース被覆部３２の周方向両側面にはそれぞれ、軸方向に沿って延びるガイド溝３３が形成されている。ガイド溝３３は、ティース被覆部３２の周方向両側面の各々において、径方向に複数並んで形成されている。各ガイド溝３３は、コイル２３の第１層目（第１層コイル線４１）の整列状態を保持させるためのものである。つまり、ガイド溝３３に保持された第１層コイル線４１は、径方向に並んで整列されるようになっている。また、コイル２３の第２層目（第２層コイル線４２）は、第１層コイル線４１上に巻回されるとともに、第１層コイル線４１における径方向に隣り合う線材間に形成される窪み部分にてガイドされて整列状態を保持されるようになっている。
【００３０】
図２に示すように、コイル２３は、Ｕ相、Ｖ相、Ｗ相の３相に分類されてなり、周方向において互いに等間隔（９０°間隔）に位置する４つのティース部２０にそれぞれ巻回された４つのコイル２３が同相となっている。そして、各相の４つのコイル２３は、断面円状の一本の導線（コイル線）で構成されている。
【００３１】
詳述すると、Ｕ相のコイル２３は、始めにティース部２０ａから巻回され、その後、ティース部２０ａにおける巻き終わりのコイル線が反時計回りに２つおきのティース部２０に順次巻回される。そして、Ｕ相の巻き終わりのティース部２０ｅからはコイル線の端部２３ｅが引き出されるとともに、その端部２３ｅはインシュレータ２２の軸方向被覆部２２ａに設けられた中性点ターミナル３４に電気的に接続されるようになっている。
【００３２】
Ｖ相及びＷ相のコイル２３においても同様に巻回されている。Ｖ相のコイル２３の巻き始めは、Ｕ相のコイル２３の巻き始めのティース部２０ａの反時計回り側の隣のティース部２０ｂであり、Ｗ相のコイル２３の巻き始めはまたその隣のティース部２０ｃとなっている。各相の巻き始め及び巻き終わりのコイル２３は、それぞれ周方向に３つ並ぶように構成されている。また、Ｕ相・Ｖ相・Ｗ相のコイル２３の巻き終わりの端部２３ｅは、それぞれ中性点ターミナル３４に電気的に接続されている。そして、各相の巻き始めのコイル２３からは、コイル線の端部（引き出し線２３ｓ）が引き出されている。つまり、引き出し線２３ｓは、ティース部２０ａ〜２０ｃに巻回されたコイル２３の第１層目（第１層コイル線４１）から引き出される線であり、該引き出し線２３ｓの根元部分はティース被覆部３２と接するようになっている。
【００３３】
インシュレータ２２は、各相の引き出し線２３ｓをそれぞれ案内する３つの案内部３５を有している。各案内部３５は、各相のコイル２３の巻き始めのティース部２０ａ〜２０ｃの基端近傍（周方向の側方）にそれぞれ設けられている。また、各案内部３５は、互いに同一構成（同一形状）をなしている。
【００３４】
図３には、Ｕ相のコイル２３の巻き始めのティース部２０ａを例示している。同図に示すように、案内部３５は、ティース部２０ａを被覆するティース被覆部３２の周方向一方側に設けられている。案内部３５は、ベース被覆部３１から径方向内側（図３において下側）に突出する突出部３６と、突出部３６から周方向におけるティース部２０ａの反対側に延びる保持部３７とを備えている。なお、案内部３５（突出部３６及び保持部３７）は、ティース被覆部３２におけるティース部２０ａの軸方向端面を被覆する部位の上面３２ａよりも軸方向上側に位置している。
【００３５】
突出部３６は、ティース被覆部３２の周方向一方側の位置（図３中、ティース被覆部３２よりも右側の位置）から、ティース被覆部３２の上面３２ａの周方向他方側端部（図３中、上面３２ａの左側端部）まで周方向に延在している。つまり、突出部３６の一部は、ティース被覆部３２の上面３２ａと軸方向に隣接しており、その隣接部３６ａの径方向内側（図３において下側）の側面には、第１層コイル線４１の最も外周側の線（ティース部２０ａの基端側の線）を案内するための傾斜面３６ｂが形成されている。
【００３６】
保持部３７は、ベース被覆部３１に対して、径方向に間隔を空けて対向している。そして、保持部３７及びベース被覆部３１の互いの対向面と、突出部３６の周方向一端部とによって、周方向のティース部２０ａ側に窪む保持凹部３５ａが構成されている。この保持凹部３５ａには、コイル２３の引き出し線２３ｓが収容されて保持されるようになっている。そして、案内部３５は、保持凹部３５ａにて引き出し線２３ｓを保持することで、該引き出し線２３ｓを第１層コイル線４１よりも上層側に案内している。
【００３７】
保持凹部３５ａの底面における軸直交断面形状は、コイル２３の線径Ｄ（引き出し線２３ｓの線径）と略同径をなす半円状をなしている。そして、突出部３６から延びる保持部３７の根元部（保持凹部３５ａの最奥部）から先端部までの周方向長さＬは、コイル２３の線径Ｄよりも長く設定されている。また、保持部３７の先端部におけるベース被覆部３１と径方向に対向する側面には、保持部３７の周方向先端側にかけてベース被覆部３１から離間するように傾斜するテーパ面３７ａが設けられている。これにより、保持凹部３５ａの周方向の開口端が径方向に拡がる形状をなす。
【００３８】
案内部３５は、径方向内側の側面に規制面３５ｂを有している。規制面３５ｂは、ティース部２０ａ（ティース被覆部３２）の周方向側方に位置するとともに、ティース部２０ａから周方向に離間するにつれて径方向内側に傾斜する傾斜部位を有している。この規制面３５ｂは、ティース部２０ａの周方向一方側（図３において右側）において、第１層コイル線４１よりも上層のコイル線の径方向外側（ティース部２０ａの基端側）への移動を規制するようになっている。
【００３９】
また、インシュレータ２２は、ティース部２０ａの周方向他方側（図３において左側）において、第１層コイル線４１よりも上層のコイル線の径方向外側（ティース部２０ａの基端側）への移動を規制する規制部３８（他方側規制部）を有している。規制部３８は、ティース部２０ａから周方向に離間するにつれて径方向内側に傾斜する傾斜面３８ａを有している。傾斜面３８ａは、コイル２３が上記した整列態様で層状に構成された場合の、各層における最もティース基端側のコイル線の並びに沿った傾斜角度を有している。
【００４０】
案内部３５の規制面３５ｂ及び規制部３８の傾斜面３８ａの規制によって、第１層コイル線４１よりも上層のコイル線が下層側に落ち込んで、コイル２３の整列状態が乱れることを抑制できるようになっている。また、このような案内部３５の規制面３５ｂ及び規制部３８の傾斜面３８ａの機能は、コイル２３が３層以上で構成される場合に特に効果的に発揮される。なお、図３には、例示として、第３層コイル線４３を２点鎖線で図示している。
【００４１】
図１に示すように、エンドフレーム５におけるステータ３及びロータ４と対向する面とは反対側の面には、ブラシレスモータ１を駆動するための制御回路部材５０が設けられている。また、エンドフレーム５には、制御回路部材５０を覆うモータカバー５３が装着されている。
【００４２】
制御回路部材５０は、エンドフレーム５に固定されたコネクタ部５１を備えている。コネクタ部５１には、電源側端子としての複数の接続端子５２（図１においては１つのみ図示）が設けられている。また、コネクタ部５１には、図示しない外部電源コネクタが接続可能となっている。そして、各接続端子５２の一端部は、前記外部電源コネクタと接続され、各接続端子５２の他端部は、モータカバー５３内において、ステータ３側から延出された各相の引き出し線２３ｓと電気的に接続されている。
【００４３】
次に、本実施形態の作用について説明する。
上記したブラシレスモータ１では、各相に対応する駆動電流が制御回路部材５０から接続端子５２及び引き出し線２３ｓを介して各相のコイル２３に供給されると、ステータ３に回転磁界が生じ、その回転磁界によってロータ４が回転するようになっている。
【００４４】
次に、本実施形態の効果を記載する。
（１）インシュレータ２２には、コイル２３におけるティース被覆部３２と接触する巻き始めの引き出し線２３ｓを該コイル２３の第１層目（第１層コイル線４１）よりも上層側に案内する案内部３５が設けられる。案内部３５は、ベース被覆部３１から径方向内側（ティース部２０ａ側）に突出する突出部３６と、該突出部３６から周方向に延びてベース被覆部３１と径方向に対向し該ベース被覆部３１とで引き出し線２３ｓを保持する保持部３７とを有する。そして、突出部３６から延びる保持部３７の根元部から先端部までの周方向長さＬは、コイル２３の線径Ｄ（引き出し線２３ｓの径）よりも長く設定されている。これにより、引き出し線２３ｓを安定して保持でき、案内部３５からの引き出し線２３ｓの脱落を抑制できる。また、上記の寸法設定により、案内部３５の形状の精度をそれほど必要としないため、例えば金型のメンテナンス費等を抑制でき、製造コストの削減に寄与できる。
【００４５】
（２）保持部３７の先端部におけるベース被覆部３１と径方向に対向する側面には、保持部３７の先端側にかけてベース被覆部３１から離間するように傾斜するテーパ面３７ａが設けられている。この構成によれば、保持部３７の先端部に設けられたテーパ面３７ａによって、保持部３７とベース被覆部３１との間の入口（保持凹部３５ａの周方向の開口端）が拡がる形状をなすため、保持部３７とベース被覆部３１との間（つまり保持凹部３５ａ）に引き出し線２３ｓを配置しやすい。
【００４６】
（３）インシュレータ２２は、ベース被覆部３１から径方向内側に突出して第１層コイル線４１よりも上層のコイル線の径方向外側への移動を規制する規制部（案内部３５及び規制部３８）を備えている。これにより、第１層コイル線４１よりも上層のコイル線が径方向に移動して下層側に落ち込んで、コイルの整列状態が乱れることを抑制できる。
【００４７】
（４）規制部としての役割を兼ねた案内部３５によって、第１層コイル線４１よりも上層のコイル線の径方向外側への移動を規制できる。
（５）案内部３５は、ティース被覆部３２（ティース部２０ａ）の周方向一方側のみに設けられ、インシュレータ２２は、ティース被覆部３２の周方向他方側において、規制部３８（他方側規制部）を案内部３５とは別に備えている。この構成によれば、第１層コイル線４１よりも上層のコイル線の径方向外側への移動が、ティース被覆部３２（ティース部２０ａ）の周方向一方側では規制部としての案内部３５によって規制され、周方向他方側では規制部３８によって規制される。このため、第１層コイル線４１よりも上層のコイル線の径方向外側への移動をより確実に規制できる。
【００４８】
なお、上記実施形態は、以下のように変更してもよい。
・上記実施形態におけるコイル２３の層数は例示であり、適宜変更可能である。
・上記実施形態におけるティース部２０及びコイル２３の数は例示であり、適宜変更可能である。
【００４９】
・上記実施形態において、ベース被覆部３１と保持部３７との間の径方向の間隔（保持凹部３５ａの径方向寸法）を、コイル２３の線径Ｄ（引き出し線２３ｓの径）よりも僅かに小さく設定してもよい。これにより、ベース被覆部３１と保持部３７とによって引き出し線２３ｓを径方向に挟持する構成（つまり、引き出し線２３ｓに対してベース被覆部３１と保持部３７から径方向に挟む方向の力が発生する構成）となり、引き出し線２３ｓをより安定して保持することが可能となる。
【００５０】
・上記実施形態における案内部３５の形状は例示であり、適宜変更可能である。例えば、上記実施形態では、案内部３５の保持部３７は、突出部３６から周方向のティース部２０ａとは反対側に延びているが、保持部３７が周方向のティース部２０ａ側に延びるように構成してもよい。また、上記実施形態における保持凹部３５ａの形状は例示であり、断面半円状以外に例えば断面コ字状に形成してもよい。
【００５１】
・上記実施形態では、案内部３５の突出部３６がティース被覆部３２と隣接しているが、これに限らず、突出部３６をティース被覆部３２に対して離間させてもよい。
・上記実施形態では、特に言及していないが、案内部３５の保持凹部３５ａにおける引き出し線２３ｓの保持位置は、第３層コイル線４３よりも上層側に設定されている。しかしながら、当該引き出し線２３ｓの保持位置は、上記実施形態に限定されるものではなく、コイル２３の巻回態様に応じて適宜変更可能である。
【００５２】
・上記実施形態では、案内部３５が、第１層コイル線４１よりも上層のコイル線の径方向への移動を規制するが、これに限らず、案内部３５を、コイル２３の引き出し線２３ｓを除く部分と干渉しない位置に設けてもよい。
【００５３】
・上記実施形態では、案内部３５及び規制部３８は、複数のティース部２０ａのうち、各相の巻き始めのティース部２０ａ〜２０ｃの周方向側方に設けられているが、これに限らず、ティース部２０ａ〜２０ｃを含め全てのティース部２０の周方向側方に設けてもよい。また、上記実施形態において、規制部３８を省略してもよい。
【００５４】
・上記実施形態におけるコイル２３の結線態様は、中性点（中性点ターミナル３４）を有するスター結線とされているが、これは例示であって、中性点を有しないデルタ結線に変更することも可能である。
【００５５】
・上記実施形態では、巻線態様を１系統のみの構成（巻き始めの引き出し線２３ｓを各相で１つずつ備え、中性点を１つ備えた構成）としたが、２以上の系統を備えた構成としてもよい。なお、２つの系統で構成した場合には、巻き始めの引き出し線２３ｓを各相で２つずつ備え、中性点を２つ備えた構成となる。
【００５６】
・上記実施形態では、本発明をブラシレスモータ１に適用したが、これ以外に例えば、ブラシ付きモータに適用してもよい。
・上記実施形態では、ステータ３の内周側にロータ４が配置されるインナロータ型モータに適用したが、ステータの外周側にロータが配置されるアウタロータ型モータに適用してもよい。この場合、ステータにおけるティースやインシュレータ等の構成は、径方向の内外の関係が上記実施形態と反対の構成となる。
【００５７】
・上記した実施形態並びに各変形例は適宜組み合わせてもよい。
【符号の説明】
【００５８】
１…ブラシレスモータ、３…ステータ（電機子）、２０…ティース部、２１…ステータコア（電機子コア）、２２…インシュレータ、２３…コイル、２３ｓ…引き出し線、２４…ベース部、３１…ベース被覆部、３２…ティース被覆部、３５…案内部、３６…突出部、３７…保持部、３７ａ…テーパ面、３８…規制部（他方側規制部）、４１…第１層コイル線、４２…第２層コイル線。
【図１】
2018191469.tif 000003
【図２】
2018191469.tif 000004
【図３】
2018191469.tif 000005